(57)【要約】      （修正有）【課題】道具の出し入れにおいて、開ける操作も閉める操作も簡単な収納ケースを提供する。【解決手段】底面部位11Aおよびその底面部位11Aの両端を立ち上げた立ち上げ部位11Bを形成するケース下部11と、立ち上げ部位11Bの平面方向に開閉可能であるように、立ち上げ部位11Bに連続して形成される上側部および上面部を覆うことで収納空間を形成する開閉受け部12,開閉操作部15とを備える開閉部からなる。閉塞時に互いに接する面が引き合う磁性体材料13,14,16,17を、不連続となるように配置する。一方の開閉部は、開閉受け部12に対して開閉動作するための開閉操作部15とし、磁性体材料16,17が存在しない箇所を収納空間側へ弾性変形可能な開閉変形部18A,18Bとする。【選択図】図２
2015123023.tif 000002
【特許請求の範囲】
【請求項１】
上部および両側部に連続する開閉口を備えた収納ケースであって、
収納空間の底面部位およびその底面部位の両端を立ち上げた立ち上げ部位を形成するケース下部と、
そのケース下部の立ち上げ部位の平面方向に開閉可能であるように、その立ち上げ部位に連続して形成される上側部および上面部を覆うことで収納空間を形成する開閉部と、を備え、
その開閉部の上面部には、閉塞時に互いに接する面が引き合うように磁性体材料を備え、
一方の開閉部は、他方の開閉部である開閉受け部に対して開閉動作を操作するための開閉操作部とし、  その開閉操作部は、磁性体材料が存在しない箇所を収納空間側へ弾性変形可能な開閉変形部とした収納ケース。
【請求項２】
前記の開閉部の上側部には、閉塞時に互いに接する面が引き合うように引き合い部材を備え、
その引き合い部材は、前記の上面部における磁性体材料に対して不連続となるように配置した請求項１に記載の収納ケース。
【請求項３】
開閉変形部が変形することによって開放される収納空間の開口の大きさを規制するとともに、収納空間へ収納した小物が上側部から落下しないようにするための落下防止部を備えた請求項１または請求項２のいずれかに記載の収納ケース。
【請求項４】
前記の開閉操作部に備えられた磁性体材料を複数とし、
その複数の磁性体材料は、間隔をあけて配置することとした請求項１から請求項３のいずれかに記載の収納ケース。
【発明の詳細な説明】
【技術分野】
【０００１】
本発明は、アウトドア活動者の活動中、たとえば釣り人が釣りをしている最中でも簡単に開閉が可能な収納ケースに関する。
【背景技術】
【０００２】
アウトドア活動において、ちょっとしたゴミが発生することがある。たとえば、喫煙によって煙草の吸い殻が発生する。釣人が魚釣りする際、絡まった釣り糸を元通りにしたり、仕掛けの交換をしたりすることによって、釣糸屑が発生する。
発生したゴミは、釣り人や登山者などは、マナーボックスと呼ばれる屑入れ容器をベルトなどへ装着しておき、そこへ入れておく、という人が多い。
【０００３】
特許文献１には、釣糸屑を簡単に一時的に収納して保持するための釣糸屑入れ容器が提案されている。この釣糸屑入れ容器は、釣り人が腰ベルト、釣り道具入れなどへ装着し、発生した糸屑をすぐに収納、保持するのに適したものである。
【０００４】
特許文献２には、釣り人に用いられるルアーが多数ある場合に、それらをコンパクトに安定して収納できるルアーケースが開示されている。ただし、このルアーケースを身に付けて用いることは想定していないようである。
【０００５】
釣り人は、釣りのための道具を数多く、ポケットや腰ベルトに装着したケース類へ収納しつつ、釣りを楽しんでいる。したがって、そのような場合に限れば、特許文献２に開示された技術よりも、特許文献１に開示された技術の方が優れている。ゴミを収納させるため、または道具の出し入れのために移動せずに済むからである。
【先行技術文献】
【特許文献】
【０００６】
【特許文献１】特開２０００−２０１６０８号公報
【特許文献２】特開２００３−１９９４６８号公報
【発明の概要】
【発明が解決しようとする課題】
【０００７】
釣り人は、道具の出し入れやゴミの収納の動作を、できる限り素早く完了させたい、という要望が大きい。
その視点で考察すると、特許文献１を含めた「収納ケース」において、その収納空間の開閉作業を簡単に行えるものは、どんなものであるか。
【０００８】
たとえば、特許文献１に係る釣り糸くず入れ容器では、巾着袋のように収納空間の開閉は、開閉紐を緩ませて開け、引っ張って閉じる、という動作が必要である。片手に糸くずを持った状態で開閉紐を操作することとなる。
糸くずに限らず、煙草の吸い殻、釣り道具などを手に持った状態で開閉動作を素早く行うには、巾着袋の方式では、片手では操作しにくく、不十分であると感じる釣り人は少なくない。
【０００９】
本発明が解決しようとする課題は、道具の出し入れやゴミの収納において、開ける操作が簡単であり、閉める操作も簡単な収納ケースを提供することにある。
【課題を解決するための手段】
【００１０】
（第一の発明）
第一の発明は、上部および両側部に連続する開閉口を備えた収納ケース(10)に係る。
すなわち、  収納空間の底面部位(11A)およびその底面部位(11A)の両端を立ち上げた立ち上げ部位(11B,11B)を形成するケース下部(11)と、
そのケース下部(11)の立ち上げ部位(11B,11B)の平面方向に開閉可能であるように、立ち上げ部位(11B,11B)に連続して形成される上側部および上面部を覆うことで収納空間を形成する開閉部(開閉受け部12,開閉操作部15)と、を備え、
その開閉部(12,15)の上面部には、閉塞時に互いに接する面が引き合うように磁性体材料(14,17)を備え、
一方の開閉部(15)は、他方の開閉部である開閉受け部(12)に対して開閉動作を操作するための開閉操作部(15)とし、  その開閉操作部(15)は、磁性体材料(16,17)が存在しない箇所を収納空間側へ弾性変形可能な開閉変形部(18A,18B)とした収納ケース(10)である。
【００１１】
（用語説明）
「磁性体材料(14,17)」とは、全てを永久磁石とする場合のほか、開閉部(12,15)において向かい合ういずれか一方を永久磁石とし、永久磁石ではない方を鉄片などの磁石に吸着される材料、を含む趣旨である。
「開閉変形部(18A,18B)」について「開放操作時に収納空間側へ弾性変形可能」とは、磁性体材料(14,17)によって閉塞された収納空間に対して、開閉変形部(18A,18B)が変形することによって、引き合って固着している磁性体材料(14,17)に対してせん断方向の力を加えることによって引き離し、収納空間を開放する操作が可能であるとともに、加えていたせん断方向の力を抜いた場合には変形前の状態へ戻ることによって磁性体材料(14,17)が再び引き合って収納空間を閉塞するように形成したことである。  すなわち、「開閉変形部(18A,18B)」を形成する部位の素材が弾性部材であることのほか、開放のために加えていたせん断方向の力がなくなった場合に変形前の状態へ戻ればよい。
【００１２】
（作用）
第一の発明に係る収納ケース(10)は、ケース下部(11)および開閉部(12,15)によって、収納空間を備える。
その収納空間は、ケース下部(11)の立ち上げ部位(11B,11B)の平面方向に開閉可能である。収納空間の閉塞時には、磁性体材料(13,14,16,17)が引き合うことによって開閉口が閉じられており、収納空間へ収納された小物は、収納空間へ収められている。
収納された小物を取り出す、あるいは別の小物を収納する場合には、開閉操作部(15)を開閉部(12)に対して操作する。すなわち、開閉変形部(18A,18B)を収納空間側へ弾性変形させることによって、引き合って固着している磁性体材料に対してせん断方向の力を加え、上面部および上側部が引き離され、開閉口が開口する。
【００１３】
収納された小物の取り出し、あるいは別の小物の収納が終わった場合には、加えていた力を抜く（指で操作している場合には、操作していた指を開閉変形部(18A,18B)から離す）。すると、開閉変形部(18A,18B)が変形前の状態へ戻り、それによって磁性体材料(14,17)が再び引き合って固着し、収納空間を閉塞することができる。
すなわち、所定の力を加えるだけで収納空間を開放でき、力を抜くことで収納空間を閉塞できる。
【００１４】
ファスナー方式の開閉と比べてみる。ファスナー方式では、ファスナーの滑り子を動かすという操作にて収納空間を開放し、逆方向へ滑り子を動かすことで収納空間を閉塞できる。しかし、閉塞時にも操作が必要である。本願に係る収納ケースでは、閉塞しようという積極的な操作は不要であり、小物の出し入れを急ぐ場合には、操作完了までがファスナー方式よりも簡単である。
【００１５】
（第一の発明のバリエーション）
第一の発明は、以下のように形成しても良い。
すなわち、前記の開閉部(12,15)の上側部には、閉塞時に互いに接する面が引き合うように引き合い部材（たとえば磁性体材料(13,16)）を備え、  その引き合い部材(13,16)は、前記の上面部における磁性体材料(14,17)に対して不連続となるように配置してもよい。
【００１６】
（用語説明）
引き合い部材(13,16)とは、磁性体材料としてもよいが、ゴム、スプリングなどの弾性変形部材でもよい。
収納空間へ収納した収納物が上側部から落下するのを防止するため、落下防止機能を兼ねたゴム板を固定する。すると、本願に係る収納ケース(10)を拡開した場合には、拡開させた手の力を放せば戻る（開口が閉塞する）。
【００１７】
（第一の発明のバリエーション２）
第一の発明は、
以下のように形成しても良い。
すなわち、開閉変形部(18A,18B)が変形することによって開放される収納空間の開口の大きさを規制するとともに、収納空間へ収納した小物が上側部から落下しないようにするための落下防止部(19)を備えることとしてもよい。
【００１８】
（作用）
落下防止部(19)が存在することで、開閉口を開口した場合に収納空間へ収納した小物が上側部から落下しにくい。また、開口の大きさが規制されるので、開放操作のときに余計な力が入ってしまったときにも、収納空間へ収納した小物が落下するなどのトラブルを未然に防止できる。
【００１９】
（第一の発明のバリエーション３）
第一の発明は、以下のように形成しても良い。
すなわち、前記の開閉操作部(15)に備えられた磁性体材料(17)を複数とし、その複数の磁性体材料(17A,17B)は間隔をあけて配置することとする。
【００２０】
（作用）
複数の磁性体材料(17A,17B)が間隔をあけて配置されているので、開閉変形部(18A,18B)を収納空間側へ弾性変形させる動作の際に、その間隔付近へ力を入れた場合、開閉変形部(18A)が小さな力で変形しやすい。すなわち、開閉口を開口させる際の動作が楽になる。
【発明の効果】
【００２１】
第一の発明によれば、道具の出し入れやゴミの収納において、開ける操作が簡単であり、閉める操作もすばやく簡単に行える収納ケースを提供することができた。
【図面の簡単な説明】
【００２２】
【図１】本願発明の実施形態に係る収納ケースを示す斜視図である。
【図２】本願発明の実施形態に係る収納ケースを示す側面図および平面図である。
【図３】本願発明の実施形態に係る収納ケースの使用状態を示す断面図である。
【図４】本願発明の実施形態に係る収納ケースにおける主要部の使用状態を示す断面図である。
【図５】比較のために示す磁石を用いた開閉口の小物入れの主要部を示す斜視図である。
【図６】本願発明に係る収納ケースの他の実施形態を示す斜視図である。
【発明を実施するための形態】
【００２３】
以下、本発明の実施形態について図面を参照して説明する。使用する図面は図１から図６であり、図５は従来技術として比較例を図示している。
【００２４】
図１（ａ）および（ｂ）に示すように、本実施形態に係るのは、上部および両側部に連続する開閉口を備えた収納ケース１０である。
この収納ケース１０は、図２（ｂ）に示す収納空間の底面部位１１Ａおよびその底面部位１１Ａの両端を立ち上げた立ち上げ部位１１Ｂ，１１Ｂを形成するケース下部１１と、  そのケース下部１１の立ち上げ部位１１Ｂ，１１Ｂの平面方向に開閉可能であるように、立ち上げ部位１１Ｂ，１１Ｂに連続して形成される上側部および上面部を覆うことで収納空間を形成する開閉受け部１２，開閉操作部１５からなる開閉部を備えている。
【００２５】
開閉受け部１２および開閉操作部１５には、閉塞時に互いに接する面が引き合うように、永久磁石からなる磁性体材料１３，１４，１６，１７を備えている。  この磁性体材料は、両側部に１３，１６を、上部に１４，１７を、それぞれ間隔をあけて配置しており、不連続となっている。
全てを永久磁石とする場合のほか、開閉部１２，１５において向かい合ういずれか一方を永久磁石とし、永久磁石ではない方を鉄片などの磁石に吸着される材料としてもよい。
【００２６】
開閉受け部１２および開閉操作部１５は、それぞれ役割が異なる。一方の開閉部が、他方の開閉受け部１２に対して開閉動作を操作するための開閉操作部１５となっている。  その開閉操作部１５は、磁性体材料１６，１７が存在しない箇所を収納空間側へ弾性変形可能な開閉変形部１８Ａ，１８Ｂとしている。
【００２７】
開閉変形部１８Ａ，１８Ｂは、磁性体材料１３，１４，１６，１７によって閉塞された収納空間に対して変形することによって、引き合って固着している磁性体材料１４，１７に対してせん断方向の力を加えることによって引き離し、収納空間を開放する操作が可能である。
そして、加えていたせん断方向の力をなくした場合には、変形前の状態へ戻る。それによって磁性体材料１４，１７が再び引き合って収納空間を閉塞するように形成している。
【００２８】
開閉変形部１８Ａ，１８Ｂが変形することによって開放される収納空間の開口の大きさを規制するとともに、収納空間へ収納した小物が上側部から落下しないようにするための落下防止部１９を備えている。
この落下防止部１９が存在することで、開閉口を開口した場合に収納空間へ収納した小物が上側部から落下しにくい。また、開口の大きさが規制されるので、開放操作のときに余計な力が入ってしまったときにも、収納空間へ収納した小物が落下するなどのトラブルを未然に防止できる。
【００２９】
収納空間は、開閉部１２の開口縁に平行した仕切り片たる中仕切り２０を備えている。その中仕切り２０の両端は、落下防止部１９に固定されている。
この中仕切り２０が存在することによって、収納空間へ収納させる小物の種類を分けることができ、使い勝手が向上している。
【００３０】
開閉操作部１５には、引っ張り片２１を備えている。この引っ張り片２１は、開閉変形部１８Ａ，１８Ｂを変形させて開口を開口した後に、開口状態を保持する場合などに指でつまむ、といった操作をするためのものである。
開閉部１２には、ベルト通し２２を備えている。本実施形態に係る収納ケース１０を、ベルトに固定するためである。
【００３１】
図３および図４を参照させながら、本実施形態の作用について説明する。
本実施形態に係る収納ケース１０は、ケース下部１１、開閉受け部１２および開閉操作部１５によって、収納空間を備える。
その収納空間は、ケース下部１１の立ち上げ部位１１Ｂ，１１Ｂの平面方向に開閉可能である。収納空間の閉塞時には、磁性体材料１３，１４，１６，１７が引き合うことによって開閉口が閉じられている。すなわち図３（ａ）や図４（ａ）に示す状態であり、収納空間へ収納された小物は、収納空間へ収められている。
【００３２】
収納空間へ収納された小物を取り出す、あるいは別の小物を収納する場合には、開閉操作部１５を開閉部１２に対して操作する。すなわち、図３（ｂ）や図４（ｂ）、（ｃ）、（ｄ）で示すように、開閉変形部１８Ａ，１８Ｂを収納空間側へ弾性変形させる。この変形に伴って加えられる力によって、引き合って固着していた磁性体材料１４，１７に対してせん断方向の力が加わって引き離される。更なる力によって磁性体材料１３，１６も引き離され、開閉口が開口する。
【００３３】
収納された小物の取り出し、あるいは別の小物の収納が終わった場合には、操作していた指を開閉変形部１８Ａ，１８Ｂから離す。すると、開閉変形部１８Ａ，１８Ｂが変形前の状態へ戻り、それによって磁性体材料１４，１７が再び引き合って固着し、収納空間を閉塞することができる。
すなわち、所定の力を加えるだけで収納空間を開放でき、力を抜くことで収納空間を閉塞できる。
【００３４】
図５には、磁石を開閉のために採用した従来の典型的な収納ケース３０を示している。前述した実施形態と同様、上部および両側部に連続する開閉口を備えているとする。そして、その開閉口に沿って、連続した磁性体材料３３，３６を備えている。
このような収納ケース３０における開閉口を開放する操作の場合、磁性体材料３３，３６の固着状態を引き離すだけの力で一対の開口部３２，３５を引っ張らなければならない。その力は、前述した実施形態において開閉変形部１８Ａ，１８Ｂを収納空間側へ弾性変形させるよりも大きな力（磁性体材料による固着力が同じ場合）が必要である。そのため、開口部３２，３５の一方を動かないように固定しつつ、他方に引っ張る力をかけやすい部位を設ける、などの構造が必要となる場合が多い。
【００３５】
図示は省略するが、ファスナー方式の開閉とも比べてみる。ファスナー方式では、ファスナーの滑り子を動かすという操作にて収納空間を開放し、逆方向へ滑り子を動かすことで収納空間を閉塞できる。
しかし、閉塞時にも操作が必要である。前述した収納ケース１０では、閉塞しようという積極的な操作は不要であり、小物の出し入れを急ぐ場合には、操作完了までがファスナー方式よりも簡単である。
【００３６】
図６には、他の実施形態を図示している。ここで示す実施形態では、いずれも複数の磁性体材料１７Ａ，１７Ｂを間隔をあけて配置している。
図６（ａ）では、直方体をなす磁性体材料１４Ａ，１４Ｂ，１７Ａ，１７Ｂを採用している。
図６（ｂ）では、円柱形をなす磁性体材料１４Ｃ，１４Ｄ，１７Ｃ，１７Ｃを採用している。
【００３７】
図６（ｃ）は、図６（ｂ）のバリエーションであり、円柱形をなす複数の磁性体材料１４Ｃ，１４Ｄの代わりに、上部および両上側部まで連続するＵ字形の磁性体材料を採用したものである。
【００３８】
図６に示すいずれの実施形態の場合も、複数の磁性体材料１７Ａ，１７Ｂを間隔をあけて配置しているので、開閉変形部１８Ａ，１８Ｂを収納空間側へ弾性変形させる動作の際に、その間隔付近へ力を入れた場合、開閉変形部１８Ａが小さな力で変形しやすい。すなわち、開閉口を開口させる際の動作が楽になる。
【００３９】
図示は省略するが、開閉操作部１５付近に指を添えるように促すマークを、意図の縫い目や印刷などによって表示しておく。すると、そこへ指を添えて、本願に係る収納ケースを開口させることが一目瞭然となる。
【産業上の利用可能性】
【００４０】
本発明は、釣り具の製造業、釣り具のレンタル業、アウトドアスポーツのインストラクター事業などにおいて、利用可能性を有する。
【符号の説明】
【００４１】
１０；  収納ケース
１１；  ケース下部                １１Ａ；底面部位
１１Ｂ；立ち上げ部位
１２；  開閉受け部
１３；  引き合い部材（上側部）    １４；  磁性体材料（上面部）
１５；  開閉操作部
１６；  引き合い部材（上側部）    １７；  磁性体材料（上面部）
１８；  開閉変形部                １８Ａ；上面変形部
１８Ｂ；側部変形部
１９；  落下防止部                ２０；  中仕切り
２１；  引っ張り片                ２２；  ベルト通し
３０；  収納ケース（従来の典型例）
３２，３５；  開閉部
３３，３６；  磁性体材料
【図１】
2015123023.tif 000003
【図２】
2015123023.tif 000004
【図３】
2015123023.tif 000005
【図４】
2015123023.tif 000006
【図５】
2015123023.tif 000007
【図６】
2015123023.tif 000008